(57)【要約】【課題】竪型送油ポンプから漏洩する水などを容易に検出する漏洩検出装置及び漏洩検出方法を提供する。【解決手段】竪型送油ポンプ１０は、地面Ｇに穿設された竪穴１ｈに収容される筒状のバーレル１、バーレル１の周囲に配設されてスチームが流通するパイプ２、及びバーレル１の上端部に設けられ、竪穴１ｈの開口を密閉するフランジ１ｆを備える。漏洩検出装置１００は、フランジ１ｆに貫通された点検開口５０と、点検開口５０に挿入される点検棒５と、を備える。点検開口５０は、バーレル１の外周と竪穴１ｈの内壁との間に位置している。点検棒５は、竪穴１ｈの底面に到達する長さを有する。点検棒５の先端部を竪穴１ｈの底面に到達させ、点検棒５の先端部に残された形跡から、バーレル１から漏洩する水や油などの有無を容易に検出できる。【選択図】図１
2011064468.tif 000002
【特許請求の範囲】
【請求項１】
地面に穿設された竪穴に収容される筒状のバーレル、このバーレルの周囲に配設されてスチームが流通するパイプ、及び前記バーレルの上端部に設けられ、前記竪穴の開口を密閉するフランジを備える竪型送油ポンプの漏洩検出装置であって、
前記バーレルの外周と前記竪穴の内壁との間に位置するように前記フランジに貫通された点検開口と、
この点検開口に挿入して前記竪穴の底面に到達する長さを有する点検棒と、を備える竪型送油ポンプの漏洩検出装置。
【請求項２】
前記点検棒は、前記竪穴の底部に漏洩した水を吸収して変色する弱含水率の繊維棒からなる請求項１記載の竪型送油ポンプの漏洩検出装置。
【請求項３】
前記繊維棒は、大気中に放置されて乾燥された気乾材を含んでいる請求項２記載の竪型送油ポンプの漏洩検出装置。
【請求項４】
前記点検棒は、中空の流路を有する請求項１から３のいずれかに記載の竪型送油ポンプの漏洩検出装置。
【請求項５】
前記点検棒に接続して、前記竪穴の底部に漏洩した液体を吸引可能な真空吸引機を更に備える請求項４記載の竪型送油ポンプの漏洩検出装置。
【請求項６】
前記点検棒は、前記竪穴の底部に漏洩した液体が付着した部位を当該点検棒の表面と共に削除して再利用する請求項１から５のいずれかに記載の竪型送油ポンプの漏洩検出装置。
【請求項７】
地面に穿設された竪穴に収容される筒状のバーレル、このバーレルの周囲に配設されてスチームが流通するパイプ、及び前記バーレルの上端部に設けられ、前記竪穴の開口を密閉するフランジを備える竪型送油ポンプの漏洩検出方法であって、
前記バーレルの外周と前記竪穴の内壁との間に位置するように、点検開口を前記フランジに貫通し、
前記竪穴の底面に到達する長さを有する点検棒を前記点検開口に挿入する竪型送油ポンプの漏洩検出方法。
【請求項８】
前記点検棒は、中空の流路を有し、
この点検棒を真空吸引機に接続して、前記竪穴の底部に漏洩した液体を吸引する請求項７記載の竪型送油ポンプの漏洩検出方法。
【発明の詳細な説明】
【技術分野】
【０００１】
本発明は、竪型送油ポンプの漏洩検査装置及び漏洩検査方法に関する。特に、竪型送油ポンプのバーレルから漏洩する水や油などをバーレルが収容される竪穴から検出する装置及び方法に関する。
【背景技術】
【０００２】
火力発電所などでは、タンクに貯蔵された原油が送油ポンプを用いてボイラの燃焼室に移送されている。この送油ポンプとしては、例えば、竪型ポンプが使用されている。この竪型ポンプは、バーレルと呼ばれる有底筒形のポンプが地面に穿設された竪穴に収容され、このポンプを駆動するモータをポンプと同軸上の地上に設置している。
【０００３】
このような構成の竪型ポンプとしては、給水ブースタポンプとしての縦軸ピットバーレル型ポンプが開示されている（例えば、特許文献１参照）。
【０００４】
火力発電所などで使用される竪型送油ポンプは、バーレルの外周にパイプを巻回している。そして、ボイラで得られた余剰のスチームをこのパイプに流通させることで、バーレルを保温している。又、バーレルの底部には、バーレルの内部の油を地上に送出する排出管も接続されている。
【先行技術文献】
【特許文献】
【０００５】
【特許文献１】実開昭６１−１４２１９５号公報
【発明の概要】
【発明が解決しようとする課題】
【０００６】
しかしながら、上述した竪型送油ポンプの性能が劣化してくると、バーレルを点検する必要がある。竪穴に収容されたバーレルが腐食などにより、スチーム（凝縮された水）、又は油が漏洩していないかを点検する必要があるからである。
【０００７】
この場合、竪型送油ポンプのバーレルは、相当の重量であるため、モータが取り外された後に、バーレルがクレーンで吊り上げられる。そして、バーレルを収容する竪穴の底部に水又は油性のドレンが滞留していないかを点検していた。
【０００８】
なお、バーレルを収容する竪穴は、その内壁がコンクリートで封止されていると共に、バーレルに設けたフランジで竪穴の開口が密閉されている。したがって、竪穴は、その内部に地下水又は雨水が容易に滞留しない構造となっている。
【０００９】
このように、従来の竪型送油ポンプの漏洩検出方法は、モータの取り外し、モータの再組み立て、及びクレーンを使用するなど多大な費用と時間をかけていた。
【００１０】
モータを取り外すことなく、及びクレーンを使用することなく、バーレルを収容する竪穴の底部に水又は油性のドレンが滞留していないかを容易に点検できる竪型送油ポンプの漏洩検出装置及び漏洩検出方法が実現できれば、点検に要する費用と時間を削減できる。そして、以上のことが本発明の課題といってよい。
【００１１】
本発明は、このような課題に鑑みてなされたものであり、竪型送油ポンプのバーレルから漏洩する水や油などを容易に検出する漏洩検出装置及び漏洩検出方法を提供することを目的とする。
【課題を解決するための手段】
【００１２】
本発明者らは、上記目的を達成するため、バーレルに設けたフランジに点検開口を設け、この点検開口に検出棒を挿入して、バーレルから漏洩する水や油などを容易に検出できることを見出し、これに基づいて、以下のような新たな竪型送油ポンプの漏洩検出装置及び漏洩検出方法を発明するに至った。
【００１３】
（１）本発明による竪型送油ポンプの漏洩検出装置は、地面に穿設された竪穴に収容される筒状のバーレル、このバーレルの周囲に配設されてスチームが流通するパイプ、及び前記バーレルの上端部に設けられ、前記竪穴の開口を密閉するフランジを備える竪型送油ポンプの漏洩検出装置であって、前記バーレルの外周と前記竪穴の内壁との間に位置するように前記フランジに貫通された点検開口と、この点検開口に挿入して前記竪穴の底面に到達する長さを有する点検棒と、を備える。
【００１４】
（２）前記点検棒は、前記竪穴の底部に漏洩した水を吸収して変色する弱含水率の繊維棒からなることが好ましい。
【００１５】
（３）前記繊維棒は、大気中に放置されて乾燥された気乾材を含んでいることが好ましい。
【００１６】
（４）前記点検棒は、中空の流路を有することが好ましい。
【００１７】
（５）前記点検棒に接続して、前記竪穴の底部に漏洩した液体を吸引可能な真空吸引機を更に備えることが好ましい。
【００１８】
（６）前記点検棒は、前記竪穴の底部に漏洩した液体が付着した部位を当該点検棒の表面と共に削除して再利用することが好ましい。
【００１９】
（７）本発明による竪型送油ポンプの検出方法は、地面に穿設された竪穴に収容される筒状のバーレル、このバーレルの周囲に配設されてスチームが流通するパイプ、及び前記バーレルの上端部に設けられ、前記竪穴の開口を密閉するフランジを備える竪型送油ポンプの漏洩検出方法であって、前記バーレルの外周と前記竪穴の内壁との間に位置するように、点検開口を前記フランジに貫通し、前記竪穴の底面に到達する長さを有する点検棒を前記点検開口に挿入する。
【００２０】
（８）前記点検棒は、中空の流路を有し、この点検棒を真空吸引機に接続して、前記竪穴の底部に漏洩した液体を吸引することが好ましい。
【発明の効果】
【００２１】
本発明による竪型送油ポンプの漏洩検出装置は、フランジに設けた点検開口に点検棒を挿入し、点検棒の先端部を竪穴の底面に到達させ、点検棒の先端部に残された形跡から、バーレルから漏洩する水や油などの有無を容易に検出できる。
【００２２】
又、本発明による竪型送油ポンプの漏洩検出装置は、点検棒を弱含水率の繊維棒で構成し、竪穴の底部に漏洩した水を吸収して変色することにより、無色透明の漏洩水を点検することもできる。
【図面の簡単な説明】
【００２３】
【図１】本発明の一実施形態による竪型送油ポンプの漏洩検出装置の構成を示す縦断面図である。
【図２】本発明に係る竪型送油ポンプのバーレルの構成を示す斜視図である。
【発明を実施するための形態】
【００２４】
以下、図面を参照して本発明を実施するための形態を説明する。
【００２５】
最初に、本発明の一実施形態による竪型送油ポンプの漏洩検出装置の構成を説明する。図１は、本発明の一実施形態による竪型送油ポンプの漏洩検出装置の構成を示す縦断面図である。図２は、本発明に係る竪型送油ポンプのバーレルの構成を示す斜視図である。
【００２６】
図１及び図２を参照すると、本発明に係る竪型送油ポンプ１０は、筒状のバーレル１を備えている。バーレル１は、地面Ｇに穿設された竪穴１ｈに収容されている。又、竪型送油ポンプ１０は、パイプ２を備えている。
【００２７】
図１及び図２を参照すると、パイプ２は、バーレル１の周囲を巻回するように配設されている。パイプ２には、ボイラ（図示せず）で得られた余剰のスチーム（過熱蒸気）を流通させることで、バーレル１を保温している。
【００２８】
図１及び図２を参照すると、竪型送油ポンプ１０は、フランジ１ｆを備えている。フランジ１ｆは、バーレル１の上端部に設けられている。又、フランジ１ｆは、竪穴１ｈの開口を密閉している。
【００２９】
図１及び図２を参照すると、バーレル１は、排出管１ｄを備えている。排出管１ｄの一端部は、バーレル１の底部に接続されている。排出管１ｄは、バーレル１に残留する油性のドレンを地上に排出できる。
【００３０】
図２を参照すると、排出管１ｄは、バーレル１と共にパイプ２が巻回されており、パイプ２にスチーム（過熱蒸気）を流通させることで、排出管１ｄに流通する油性のドレンを保温している。又、バーレル１、パイプ２、及び排出管１ｄは、図示しない保温材で底部を除いて被覆されている。
【００３１】
図１を参照すると、竪型送油ポンプ１０は、台座３を備えている。台座３は、吸入ポート３ａと排出ポート３ｂを有している。台座３は、下端部にフランジ３ｆを有している。フランジ３ｆは、ボルトなどの締結具でフランジ１ｆに固定されている。
【００３２】
図１を参照すると、台座３の上部には、モータ４が設置されている。モータ４の出力軸（図示せず）は、バーレル１の内部に保持されたスクリュー（図示せず）と同軸に連結している。
【００３３】
図１を参照すると、モータ４を駆動すると、バーレル１の内部のスクリューが回転して、タンクに貯蔵された油を吸入ポート３ａから吸入して、排出ポート３ｂからボイラの燃焼室に移送できる。
【００３４】
図１を参照すると、竪穴１ｈの底部には、パイプ２から漏洩した水、又はバーレル１及び排出管１ｄから漏洩した油などの液体Ｌが滞留していることがある。
【００３５】
次に、本発明の実施形態による漏洩検出装置１００の構成を説明する。
【００３６】
図１を参照すると、漏洩検出装置１００は、フランジ１ｆに貫通された点検開口５０と、点検開口５０に挿入される点検棒５と、を備えている。点検開口５０は、バーレル１の外周と竪穴１ｈの内壁との間に位置している。なお、フランジ３ｆにも点検開口５０と同心に点検開口３０を設けている。又、点検棒５は、竪穴１ｈの底面に到達する長さを有している。
【００３７】
図１において、点検棒５は、竪穴１ｈの底部に漏洩した水を吸収して変色する弱含水率の繊維棒（いわゆる、乾燥した繊維棒）からなっている。この繊維棒としては、大気中に放置されて乾燥された気乾材、いわゆる自然乾燥された木材を含んでいる。繊維棒としては、紙を巻回したパイプを含むこともできる。
【００３８】
図１において、点検棒５は、竪穴１ｈの底部に漏洩した液体Ｌを吸引可能な中空の流路５ａを有することが好ましい。そして、中空の点検棒５を真空吸引機（図示せず）に接続することで、竪穴１ｈの底部の液面レベルを測定できる点検棒５を用いて、液体Ｌを吸引することもできる。つまり、液体Ｌが水、油、又は水と油の双方かを確認できる。
【００３９】
次に、本発明の実施形態による漏洩検出装置１００の作用を説明する。
【００４０】
図１を参照すると、本発明の実施形態による漏洩検出装置１００は、フランジ１ｆに設けた点検開口５０に点検棒５を挿入し、点検棒５の先端部を竪穴１ｈの底面に到達させ、点検棒５の先端部に残された形跡から、バーレル１から漏洩する水や油などの有無を容易に検出できる。
【００４１】
又、図１を参照すると、本発明の実施形態による漏洩検出装置１００は、点検棒５を弱含水率の繊維棒で構成し、竪穴１ｈの底部に漏洩した水を吸収して変色することにより、無色透明の漏洩水を点検することができる。
【００４２】
弱含水率の繊維棒としては、入手が容易であり、安価な自然乾燥された木材を用いることが好ましい。しかし、弱含水率の繊維棒としては、自然乾燥された木材に限定されず、紙を巻回したパイプ（紙パイプ）を用いてもよい。
【００４３】
又、点検棒５として木材を用いることで、竪穴１ｈの底部に漏洩した液体Ｌが付着した部位を点検棒５の表面と共に削除して、点検棒５を再利用できる。
【００４４】
本発明の実施形態による漏洩検出方法は、バーレル１の外周と竪穴１ｈの内壁との間に位置するように、点検開口５０をフランジ１ｆに貫通し、竪穴１ｈの底面に到達する長さを有する点検棒５を点検開口５０に挿入することにより、竪穴１ｈの底部に滞留する液体の有無を点検できる。
【００４５】
このように、本発明の実施形態による竪型送油ポンプの漏洩検出装置及び漏洩検出方法は、従来技術のように、モータを取り外すことなく、及びクレーンを使用することなく、バーレルを収容する竪穴の底部に水又は油などの液体が滞留していないかを容易に点検できる。
【００４６】
したがって、本発明の実施形態による竪型送油ポンプの漏洩検出装置及び漏洩検出方法は、バーレルから漏洩する水又は油などの液体の点検に要する費用と時間を従来と比較して削減できる。
【符号の説明】
【００４７】
１  バーレル
１ｆ  フランジ
１ｈ  竪穴
２  パイプ
５  点検棒
１０  竪型送油ポンプ
５０  点検開口
１００  漏洩検出装置
Ｇ  地面
【図１】
2011064468.tif 000003
【図２】
2011064468.tif 000004